(57)【要約】【課題】  電気かみそり器のヘッド部にキャップを被せるだけで、外刃にオイルを塗布する。【解決手段】 電気かみそり器の、外刃32、32と内刃33、33を具えたヘッド部３に着脱可能に被さるキャップ４に、オイルを浸み込ませた不織布60を装着し、キャップ４をヘッド部３に被せると、不織布60が外刃32、32に当たり、オイルが浸み出して外刃を塗布する。【選択図】図９
2006334183.tif 000002
【特許請求の範囲】
【請求項１】
電気かみそり器の、外刃(32)と内刃(33)を具えたヘッド部(３)に着脱可能に被さるキャップ(４)において、キャップ本体(５)と、該本体に装着されオイルを含浸させた不織布等の柔軟部材(６)とからなり、キャップ(４)が前記ヘッド部(３)に被さった状態のとき柔軟部材(６)が外刃(32)に接触することを特徴とする、電気かみそり器用キャップ。
【請求項２】
キャップ本体(５)には、柔軟部材収容室(８)が形成され、柔軟部材収容室(８)の外刃側底面には、該収容室(８)内に取外し可能に収容された柔軟部材(６)と外刃(32)が接触するための孔(81)が開設されている、請求項１に記載の電気かみそり器用キャップ。
【請求項３】
柔軟部材収容室(８)は、外刃側に凹んで反対側が開口し該開口部にはヒンジ(71)で開閉する蓋体(７)が設けられ、蓋体(７)には、該蓋体を閉じると柔軟部材(６)を押圧して収容室(８)の孔(81)から強制的に臨出させる凸部(74)が形成されている、請求項２に記載の電気かみそり用キャップ。
【請求項４】
蓋体(７)には、蓋体を閉じると柔軟部材(６)の外周部を押圧して該柔軟部材に含浸されたオイルが柔軟部材の外側への浸み出しを防止する突条(75)を有している請求項２又は３に記載の電気かみそり器用キャップ。
【請求項５】
請求項１乃至４の何れかに記載のキャップ(４)が、外刃(32)を具えたヘッド部(３)に着脱可能に被さっている電気かみそり器。
【発明の詳細な説明】
【技術分野】
【０００１】
本発明は、電気かみそり器のヘッド部にキャップを装着することにより、自動的に外刃にオイルを塗布できる電気かみそり器及びそのキャップに関するものである。
【背景技術】
【０００２】
電気かみそり器は、小孔群を有する外刃に対して、その内側に配備された内刃が、外刃に摺接して往復スライド或いは回転して、外刃の孔に嵌まり込んだ髭を刈り取るものであるから、摺接面の摩擦の軽減と、切れ刃の寿命を延ばすために、オイルの塗布が推奨されている。
これはオイルを含浸させた布で、外刃の外面を拭うだけの簡単な作業で済む。オイルは、外刃の孔群から、内刃との摺接面に回り込む。
しかし、上記オイルの塗布作業を定期的に行うことは忘れがちであること、朝の出勤前は該塗布作業の時間がないこと、面倒である等の理由で外刃へオイルの塗布は怠りがちとなる。使用者の中には、外刃にオイルを塗布する必要性について、無知な者もいる。
【発明の開示】
【発明が解決しようとする課題】
【０００３】
本発明は、電気かみそり器の外刃に対して、オイル塗布を忘れること、オイル塗布の時間がないこと、或いはオイル塗布の面倒さの問題を解決したものである。
電気かみそり器の使用後は、外刃を保護するために外刃を含むヘッド部にキャップを被せることが普通に行われていることに着目し、キャップを被せれば外刃に自動的にオイルを塗布できることを技術課題とした。
公知例を調査したところ、電気かみそり器の外刃或いは内刃へのオイルの自動供給に関する文献を見つけることはできなかった。
【課題を解決するための手段】
【０００４】
請求項１の電気かみそり器用キャップは、電気かみそり器の、外刃(32)と内刃(33)を具えたヘッド部(３)に着脱可能に被さるキャップ(４)において、キャップ本体(５)と、該キャップ本体に装着されオイルを含浸させた不織布等の柔軟部材(６)とからなり、キャップ(４)が前記ヘッド部(３)に被さった状態で柔軟部材(６)が外刃(32)に当たることを特徴とする。
【０００５】
請求項２は、請求項１の電気かみそり器のキャップにおいて、キャップ本体(５)には、柔軟部材収容室(８)が形成され、柔軟部材収容室(８)の外刃側底面には、該収容室(８)内に取外し可能に収容された柔軟部材(６)と外刃(32)が接触するための孔(81)が開設されている。
【０００６】
請求項３は、請求項２に記載の電気かみそり用キャップにおいて、柔軟部材収容室(８)は、外刃側に凹んで反対側が開口し該開口部にはヒンジ(71)で開閉する蓋体(７)が設けられ、蓋体(７)には、該蓋体を閉じると柔軟部材(６)を押圧して収容室(８)の孔(81)から強制的に臨出させる凸部(74)が形成されている。
【０００７】
請求項４は、請求項２又は３に記載の電気かみそり器用キャップにおいて、蓋体(７)には、蓋体を閉じると柔軟部材(６)の外周部を押圧して該柔軟部材(６)に含浸したオイルの浸み出しを防止する突条(75)を有している。
【０００８】
請求項５の電気かみそり器は、請求項１乃至４の何れかに記載のキャップ(４)を、外刃(32)と外刃(32)を具えたヘッド部(３)に着脱可能に被せている。
【発明の効果】
【０００９】
請求項１の電気かみそり器用キャップは、該キャップ(４)を電気かみそり器のヘッド部(３)に被せると、オイルを含浸させた柔軟部材(６)が外刃(32)に当たって、オイルを自動的に外刃(32)(32)に塗布できる。
出勤前、通学前のあわただしい時間帯でも、使用後の電気かみそり器のヘッド部(３)にキャップ(４)をすることは容易であり、現に殆んどの人は、そうしている筈であるから、外刃(32)にオイルを塗布する操作を行わなくても、外刃(32)にオイルの塗布は実現できる。
外刃(32)(32)に塗布されたオイルは、内刃(33)(33)との摺接面に回りこんで、その摺接面の摩擦を軽減して、切れ刃の寿命を延ばすとともに、摩擦による騒音も軽減することができる。
【００１０】
請求項２の電気かみそり器のキャップは、柔軟部材(６)はキャップ(４)の柔軟部材収容室(８)に取り外し可能に収容されているから、柔軟部材(６)が汚れると、柔軟部材収容室(８)から取り出して掃除や洗濯をし、或いは交換でき便利である。
【００１１】
請求項３の電気かみそり器のキャップは、蓋体(７)を閉じると、蓋体(７)上の凸部(74)が柔軟部材(６)を押圧して、柔軟部材収容室(８)の底部の孔(81)から柔軟部材(６)の一部を臨出させて強制的に外刃(32)に押しつけるため、外刃(32)へのオイルの塗布が確実に成される。
又、柔軟部材(６)が外刃(32)に押しつけられることによって、柔軟部材(６)からオイルが浸み出して、外刃(32)(32)へのオイルの塗布が一層円滑、且つ効果的に行われる。
【００１２】
請求項４の電気かみそり器用キャップは、蓋体(７)を閉じると柔軟部材(６)の外周部を押圧して、該柔軟部材に含浸したオイルが柔軟部材の外側への浸み出ることは阻止できるから、オイルが柔軟部材収容室(８)の外側に漏れて、電気かみそり器の周辺を汚すことを防止できる。
【００１３】
請求項５の電気かみそり器は、請求項１乃至４の何れかに記載のキャップ(４)をヘッド部(３)に着脱可能に被せているから、請求項１乃至４の何れかに記載の効果を有する。
【発明を実施するための最良の形態】
【００１４】
図１乃至図４に示す如く、電気かみそり器は、ハンドル部(１)と該ハンドル部(１)の先端に突設したヘッド部(３)とからなる。
図５に示す如く、ハンドル部(１)は、縦長主ケース(11)内にモータ(15)、充電式バッテリー(図示せず)を内蔵し、該主ケースの前面に電源スイッチ(13)、背面に際剃り用スライダー(16)を具えている。
主ケース(11)の下端に、バッテリーの充電ソケットを兼用する蓋ケース(12)が取り付けらけている。
【００１５】
主ケース(11)は、ＡＢＳ樹脂等、機械的強度の大きな樹脂にて形成されており、背面には、樹脂の２色成形或いはインサート成形によって主ケース(11)と一体にカバー(２)が被さっている。カバー(２)は使用者の掌との馴染みがよく、滑り難く、且つ適度な弾性を有する材料、例えばエラストマー、シリコン樹脂等で形成される。
【００１６】
図５、図６に示す如く、カバー(２)の樹脂材料は、主ケース(11)に開設した横長のスリット(10)から主ケース(11)の内部に入り込んだ繋ぎ部(21)を介し、更に、主ケース(11)内面とモータ(15)の間の隙間を埋める様に板状の緩衝片(22)を形成している。
緩衝片(22)の厚みは、モータ(15)を軽く押圧する程度とする。
【００１７】
図７に示す如く、ハンドル部(１)の上端から、後記する２つの内刃(33)(33)、際剃り刃(34)とスリット刃(38)の夫々内側の刃(図示せず)を横方向に往復移動させるための移動軸(37)(37)が突出しており、移動軸(37)(37)は往復駆動機構(35)を介して前記モータ(15)に連繋されている。
【００１８】
ヘッド部(３)は、ハンドル部(１)の上端に着脱可能に取り付けられ上面及び下面が開口した略矩形の周壁状へッド部ケース(31)と、該へッド部ケース(31)の上面開口から臨出して該ケース(31)に取外し可能に配備された２つの外刃(32)(32)、該外刃(32)(32)を挟む際剃り刃(34)とスリット刃(38)、及び前記移動軸(37)(37)に着脱可能に取り付けられ外刃(32)(32)の内側にて外刃(32)(32)と摺接スライドする内刃(33)(33)と、際剃り刃(34)とスリット刃の夫々の内側の刃とによって構成される。
外刃(32)(32)と内刃(33)(33)は共に、多数の孔を開設した金属薄板を倒立Ｕ字状に湾曲させてホルダーに支持せしめたものである。
へッド部ケース(31)の前面及び背面の上部には、後記するキャップ(４)を軟係止するための高さの低い突部(36)(36)が形成されている。
【００１９】
キャップ(４)は、図４乃至図１０に示す如く、外刃(32)(32)及び際剃り刃(34)を覆う様に前記へッド部ケース(31)の上部に着脱可能に被さるキャップ本体(５)と、該キャップ本体に装着されオイルを含浸させた柔軟部材(６)とからなる。
実施例の柔軟部材(６)は、厚み１mm程度の不織布(60)であって、外刃(32)(32)を挟む際剃り刃(34)とスリット刃(38)に跨って被さる大きさに形成されている。
不織布(60)の中央部には、長手方向の両端側に位置決め用の孔(61)(61)が開設されている。
【００２０】
キャップ本体(５)の天井部は、外刃側に浅く凹んで外刃(32)に沿う方向に延びる略長方形の柔軟部材収容室(８)が形成されている。該柔軟部材収容室(８)の底面には該収容室(８)に収容された不織布(60)が部分的に外刃(32)(32)側に臨出可能な１又は複数の孔(81)(81)が開設されている。実施例の孔(81)は２個であって、外刃(32)(32)に沿う方向に長い長孔である。
柔軟部材収容室(８)の底部には、前記不織布(60)の孔(61)(61)に嵌まって不織布(60)の位置ずれを防止する短い突起(82)(82)が形成されている。
【００２１】
柔軟部材収容室(８)の外刃(32)に沿う一方の開口縁には、ヒンジ(71)(71)で支持され上下に回転して開閉する蓋体(７)が設けられている。蓋体(７)の内面には、該蓋体を閉じると柔軟部材(６)を押圧して収容室(８)の孔(81)から強制的に臨出させる凸部(74)(74)が形成されている。
凸部(74)(74)は、押圧力が外刃(32)(32)には直接的に作用せず或いは不織布(60)を介して外刃(32)(32)を変形させるほどに強く作用しない突出高さ及び外刃(32)(32)に対する位置に形成されている。
更に、蓋体(７)内面の外周部には、蓋体を閉じると柔軟部材(６)の外周部を柔軟部材収容室(８)の底部に押圧する突条(75)(75)(75)が形成されている。
蓋体(７)の自由端の両側には、蓋体(７)を閉じ状態に軟係止する係止片(72)(72)が突設され、該係止片(72)(72)の外面には、柔軟部材収容室(８)の壁面に開設した凹部(83)(83)(図８では１つの凹部だけが見える)に係脱する突起(73)(73)が形成されている。
【００２２】
然して、図４に示す如く、ヘッド部(３)にキャップ(４)を被せた保管状態の電気かみそり器について、キャップ(４)の自由端に手指の爪を掛けて上向きに持ち上げ、係止片(72)の突起(73)とキャップ本体(５)の凹部(83)の係合を外してキャップ(４)を開く。オイルを浸み込ませた不織布(60)を柔軟部材収容室(８)に収納してセットする。
図１０に示す如く、キャップ(４)の蓋体(７)が開いた状態では、柔軟部材(６)は、平板状態で柔軟部材収容室(８)に収まったままであり、柔軟部材(６)は外刃(32)(32)、際剃り刃(34)及びスリット刃(38)に接触しない。
【００２３】
図９に示す如く、蓋体(７)を閉じると、蓋体(７)上の凸部(74)(74)が不織布(60)を押圧して、柔軟部材収容室(８)の底部の孔(81)から不織布(60)の一部を臨出させて強制的に外刃(32)(32)、際剃り刃(34)及びスリット刃(38)に押しつける。このため、これらに対するオイルの塗布が確実に成される。
又、柔軟部材(６)が外刃(32)(32)に押し付けられることによって、オイルの浸み出しが良好となり、外刃(32)(32)、際剃り刃(34)及びスリット刃(38)へのオイルの塗布が一層円滑、且つ効果的に行われる。
【００２４】
又、蓋体(７)を閉じると、蓋体(７)の外周縁の突条(75)(75)(75)が、不織布(60)の外周部を押圧して該不織布(60)に含浸したオイルの、不織布(60)から外側への浸み出しを阻止するから、オイルが柔軟部材収容室(８)の外側に漏れて、電気かみそり器の周辺を汚すことを防止できる。
【００２５】
蓋体(７)は、係止片(72)(72)によって閉じ状態、即ち、不織布(60)を押圧する状態を保持している。電気かみそり器の使用は、キャップ(４)を外して行う。使用後は、再びキャップ(４)をヘッド部(３)に装着するだけで、オイルの浸み込んだ不織布(60)が外刃(32)(32)に当たって外刃(32)(32)、際剃り刃(34)及びスリット刃(38)へのオイルの塗布が自動的になされる。
【００２６】
外刃(32)(32)に塗布されたオイルは、内刃(33)(33)との摺接面に回りこんで、その摺接面の摩擦を軽減して、切れ刃の寿命を延ばすとともに、摩擦による騒音も軽減することができる。
実施例の様に、不織布(60)を押圧する蓋体(７)内面の凸部(74)は、凸部(74)の押圧力が外刃(32)(32)に直接には作用せず或いは不織布(60)を介して外刃(32)(32)を変形させるほどに強くは作用しない突出高さ及び外刃(32)(32)に対する位置に形成されている場合、キャップ(４)を外さずに電源スイッチ(13)をＯＮにしても、外刃(32)(32)と内刃(33)(33)の摩擦が大きく成りすぎたり、外刃(32)(32)と内刃(33)(33)の間に不織布(60)を噛み込むトラブルを防止できる。
尚、ヘッド部(３)にキャップ(４)を被せると、モータ(15)の電源がOFFとなるスイッチ(図示せず)を前記ハンドル部(１)上の電源スイッチ(13)とは別個に配備すれば、キャップ(４)を被せたまま、内刃(33)(33)が往復動することは確実に防止できる。
【００２７】
実施例の電気かみそり器は、主ケース(11)の内面とモータ(15)との間の隙間が緩衝片(22)で埋まっているから、モータ(15)の振動や回転音が軽減される。
【００２８】
上記軽減効果を狙った電気かみそり器として、ゴム製の緩衝片(22)を主ケース(11)内面に接着接合することは公知である。この場合、緩衝片(22)の貼付けは手作業となり、手間が掛かる上、製品品質にバラツキが生じる。緩衝片(22)の剥がれや、貼り忘れの虞れもある。
緩衝片(22)の位置によっては、貼付不能となる。
【００２９】
上記モータ(15)の振動や回転音の軽減効果を狙った他の例として、主ケース(11)の、モータ(15)との対応部分に大きな孔を開設し、主ケース(11)の外表面に被さったカバー(２)から該孔を埋めてモータ(15)に密接可能な押し部(図示せず)を形成することができる。
しかし、この場合、押し部がモータに当たるとカバー(２)が外側に膨らんで外観を損なう。又、カバー(５)に掌が当たったとき、モータとの対応部分が硬く感じて違和感をおぼえる。
【００３０】
本実施例の場合、カバー(２)と緩衝片(22)は連続しており、２色成形或いはインサート成形によって、主ケース(11)と一体に成形されるので、緩衝片(22)を接着接合する手間は不要で、緩衝片(22)の剥がれや貼り忘れの問題も生じない。
更に、カバー(２)と緩衝片(22)との間には、主ケース(11)の壁が存在して、該壁の小さな孔を埋める繋ぎ部(21)で緩衝片(22)とカバー(２)が繋がっているだけであるから、緩衝片(22)がモータに押されても、カバー(２)が外側に膨らんで美観を損なうことはない。
【００３１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３２】
例えば、実施例の柔軟部材(６)は、不織布(60)であるが、これに限定されることはなく、布シート、スポンジシート等、オイルの浸み込みがよく軟質であれば柔軟部材(６)の素材は問わない。
又、柔軟部材(６)に香料を塗布又は含浸させて、外刃(32)等、ヘッド部からの不快な臭いを抑えることができる。
【００３３】
実施例のキャップ(４)は、蓋体(７)を閉じた際に、蓋体(７)上の凸部(74)で不織布(60)を押圧して、柔軟部材収容室(８)の底部の孔(81)から不織布(60)の一部を臨出させて外刃(32)(32)に当てる様にしたが、これに限らず、ヘッド部(３)にキャップ(４)を被せると、柔軟部材収容室(８)の孔(81)(81)に外刃(32)(32)が侵入して不織布(60)に当たる様にしてもよい。
或いは、柔軟部材収容室(８)を省略してキャップ(４)の天井部内面に、不織布(60)等の柔軟部材(６)を接着等の取付け手段で取り付けて、オイルを浸み込ませておき、キャップ(４)をヘッド部(３)に被せると、柔軟部材(６)が外刃(32)(32)に軽く当たる様にしてもよい。
【図面の簡単な説明】
【００３４】
【図１】キャップを外した電気かみそり器を前方斜め上方から見た斜視図である。
【図２】同上の電気かみそり器を後方斜め上方から見た斜視図である。
【図３】キャップを装着した電気かみそり器の正面図である。
【図４】キャップの蓋体を開いた状態の電気かみそり器の斜視図である。
【図５】電気かみそり器の縦断面図である。
【図６】ハンドル部のカバー部分の斜視図である。
【図７】ハンドル部の斜視図である。
【図８】ヘッド部、キャップ本体及び柔軟部材の斜視図である。
【図９】キャップの蓋体を閉じた状態のヘッド部の断面図である。
【図１０】キャップの蓋体を開いた状態のヘッド部の断面図である。
【符号の説明】
【００３５】
１  ハンドル部
11  主ケース
２  カバー
３  ヘッド部
32  外刃
４  キャップ
５  キャップ本体
６  柔軟部材
60  不織布
７  蓋
８  柔軟部材収容室
81  孔
【図１】
2006334183.tif 000003
【図２】
2006334183.tif 000004
【図３】
2006334183.tif 000005
【図４】
2006334183.tif 000006
【図５】
2006334183.tif 000007
【図６】
2006334183.tif 000008
【図７】
2006334183.tif 000009
【図８】
2006334183.tif 000010
【図９】
2006334183.tif 000011
【図１０】
2006334183.tif 000012